(57)【要約】【課題】光源部及び光源駆動回路基板の取付け、そして修理、交換等での取扱いが容易となり、またボックス自体の外径を小さくして内視鏡の良好な操作性を確保する。【解決手段】内視鏡操作部に、内視鏡軸に垂直に突出するように配置される光源ボックス１４において、ＬＥＤ部２１と光源駆動回路基板２２とを単一のアッセンブリーホルダ２３に取り付ける。即ち、このホルダ２３は、後側の外径を小さくすることで、中間部に環状段差２３Ｄを設けた円筒体とされ、このホルダ２３の前側円筒部内に、ＬＥＤ部２１をネジ２４で固定し、後側円筒部に光源駆動回路基板２２を接着剤で固定する。そして、このホルダ２３の段差２３Ｄに押え環２５を当接し、この押え環２５の雄ネジ部２５Ｄを雌ネジ部１６Ｃに螺合結合することにより、上記アッセンブリー５０を前側支持体１６の内部に固定する。【選択図】図１
2010005220.tif 000002
【特許請求の範囲】
【請求項１】
内視鏡操作部から所定方向へ突出するように配置され、照明用光源を保持する光源部及び上記光源を駆動する光源駆動回路部を搭載する内視鏡用光源ボックスにおいて、
上記光源部と光源駆動回路部とを単一のアッセンブリーホルダに取り付け、
このアッセンブリーホルダをボックス本体に固定することを特徴とする内視鏡用光源ボックス。
【請求項２】
上記アッセンブリーホルダを、後側の外径が小さくなる環状段差が形成された円筒状体とすると共に、螺合部を形成した押え環を設け、
この押え環を上記環状段差に当接しながら上記支持体側の螺合部に結合することにより、上記アッセンブリーホルダを上記ボックス本体に固定することを特徴とする請求項１記載の内視鏡用光源ボックス。
【発明の詳細な説明】
【技術分野】
【０００１】
本発明は内視鏡用光源ボックス、特に携帯用内視鏡等の操作部から突出して設けられ、照明用光源、光源駆動回路及び電源となる電池等を収納するボックス内の構造に関する。
【背景技術】
【０００２】
内視鏡装置は、光源を用いて、内視鏡（スコープ）の先端部から被観察体へ照明光を照射し、この照明された被観察体を光学的に、又は固体撮像素子等を用いて電子的に観察するものである。一方、近年では、設備の整った施設以外の各種場所での使用、ベッドサイドでの使用、緊急時の使用等を可能にするため、内視鏡装置の携帯化が進められており、この携帯用内視鏡等では、内視鏡の操作部に設けられたボックスに、例えばＬＥＤ光源と電池を配置することが行われる。
【０００３】
図５には、従来の携帯用内視鏡の構成が示されており、図示されるように、内視鏡は、先端部１Ａ、湾曲部及び軟性部１Ｂ、操作部１Ｃからなる。この操作部１Ｃには、鉗子口２や接眼部（対物光学系）３が設けられると共に、内視鏡軸方向に対し垂直方向に、電池を収納した光源ボックス４が取り付けられている。
【０００４】
図６には、上記光源ボックス４の内部構成が示されており、光源ボックス４は前側支持体５と後側支持体６を備え、この前側支持体５には、光源であるＬＥＤを配置したＬＥＤ部７、このＬＥＤ部７のＬＥＤを駆動するための回路、例えば定電流源、昇圧回路等からなるＬＥＤ駆動回路８ａを搭載した光源駆動回路基板８が設けられる。即ち、上記ＬＥＤ部７は、固定用ネジ１０によって前側支持体５に固定され、このＬＥＤ部７に、上記光源駆動回路基板８がスペーサ９を介してネジ１０で固定される。また、光源駆動回路基板８の裏面側に、正電極用の電池接続用接片８ｂを介して電池１２が接続・配置される。
【０００５】
このような光源ボックス４によれば、例えば後側支持体６の後端側に配置された回転スイッチ部の操作で、電池１２の電力が投入され、ＬＥＤ駆動回路８ａの駆動によって、ＬＥＤ部７が点灯することになる。
【特許文献１】特開２００３−１２６０３４号公報
【発明の開示】
【発明が解決しようとする課題】
【０００６】
しかしながら、従来の携帯用内視鏡では、図５に示されるように、光源ボックス４が操作部１Ｃの内視鏡軸方向から垂直方向に突出して設けられており、このオーバーハング量（突出量）Ｌが長く、また外径が大きい場合は、この光源ボックス４が術者の内視鏡操作を阻害するという問題がある。即ち、術者は、操作部１Ｃの鉗子口２と光源ボックス４との間の部分を片手で持ちながら操作することになるが、光源ボックス４が長く、また外径が大きいと、術者の腕等に当たったり、内視鏡軸中心の回転モーメントが大きくなったりすることで、操作性が悪くなる。従って、光源ボックス４のオーバーハング量Ｌを極力短くすること、外径を小さくすることが要請される。
【０００７】
また、図６で説明したように、従来の光源ボックス４では、別体となるＬＥＤ部（光源部）７と光源駆動回路基板８を、ネジ１０を用いてそれぞれ固定すると共に、光源駆動回路基板８についてはスペーサ９を介して取り付けており、この二つの部材の取付けが煩雑であり、修理、交換等においても、取扱い難いという問題があった。しかも、各部材７，８の外周を複数のネジ１０で固定する場合には、そのネジ接続・固定に必要な領域分だけ、光源ボックス（支持体５）自体の外径が大きくなる。
【０００８】
本発明は上記問題点に鑑みてなされたものであり、その目的は、光源部及び光源駆動回路基板の取付け、そして修理、交換等での取扱いが容易となり、またボックス自体の外径を小さくして内視鏡の良好な操作性を確保することができる内視鏡用光源ボックスを提供することにある。
【課題を解決するための手段】
【０００９】
上記目的を達成するために、請求項１の発明は、内視鏡操作部から所定方向へ突出するように配置され、照明用光源を保持する光源部及び上記光源を駆動する光源駆動回路部を搭載する内視鏡用光源ボックスにおいて、上記光源部と光源駆動回路部とを単一のアッセンブリーホルダに取り付け、このアッセンブリーホルダをボックス本体に固定することを特徴とする。
請求項２に係る発明は、上記アッセンブリーホルダを、後側の外径が小さくなる環状段差が形成された円筒状体とすると共に、螺合部を形成した押え環を設け、この押え環を上記環状段差に当接しながら上記支持体側の螺合部に結合することにより、上記アッセンブリーホルダを上記ボックス本体に固定することを特徴とする。
【００１０】
上記構成によれば、例えば円筒状のアッセンブリーホルダに、光源部と光源駆動回路部がネジや接着剤等で取り付けられ、単一のアッセンブリーとして、本体に固定される。この固定は、例えば外周に雄ネジ部を有する押え環で行うことができ、この押え環の雄ネジ部を支持体内部の雌ネジ部に螺合して、押え環により上記ホルダの環状段差を押えることで、アッセンブリーの固定が行われる。
【発明の効果】
【００１１】
本発明の内視鏡用光源ボックスによれば、光源部と光源駆動回路部を単一のアッセンブリーとして取り扱うことができ、光源部及び光源駆動回路部の取付け、そして修理、交換等での取扱いが容易となるという効果がある。
また、請求項２の構成によれば、各部材の外周をネジにより固定する方法を採用せず、押え環で円筒状ホルダの環状段差を押えるので、光源ボックス自体の外径を小さくして、内視鏡の良好な操作性を確保することができるという利点がある。
【発明を実施するための最良の形態】
【００１２】
図１乃至図４には、実施例に係る内視鏡用光源ボックスの構成が示されており、実施例の光源ボックス１４は、図５で説明した内視鏡と同様に、内視鏡操作部（１Ｃ）において、内視鏡軸から垂直方向に突出するように配置されたものである。図１は、光源ボックス１４の断面を示したものであり、この光源ボックス１４は、本体として、内視鏡操作部に取り付けるための取付け部１５を有する中空の前側（図の右側）支持体１６と、電池収納部１７ａを有する中空の後側支持体１７を備えてなる。即ち、図４にも示されるように、後側支持体１７の先端外周に設けられた雄ネジ部１７Ｄを、前側支持体１６の後端内周に設けられた雌ネジ部１６Ｃに螺合することで、両者が結合・固定される。
【００１３】
そして、上記前側支持体１６内には、裏面に放熱板を有する固定用板の表面（前側面）にＬＥＤを搭載するＬＥＤ部（板）２１、このＬＥＤを駆動するために、定電流回路、昇圧回路等からなるＬＥＤ駆動回路２２ａを前側面に搭載した回路基板２２が配置されるが、このＬＥＤ部２１と光源駆動回路基板２２は、ホルダ２３に取り付けられ、単一のアッセンブリー５０として設けられる。即ち、図２にも示されるように、ホルダ２３は、前側の外径を大きく後側の外径を小さくすることで、中間部に環状段差２３Ｄを設けた中空円筒体からなり、このホルダ２３の前側円筒部内（底面）にＬＥＤ部２１を固定用ネジ２４で固定し、後側円筒部の後端面に、光源駆動回路基板２２の前側面を接着剤で固定する。この場合、接着・固定を確実に行うため、ホルダ２３の後端面に、円形の光源駆動回路基板２２を嵌合させる円形溝を形成するようにしてもよい。
【００１４】
また、上記光源駆動回路基板２２の後側面には、その中心部に電池２４の正（＋）電極が接触する電池接続用接片２２ｂが設けられると共に、この接片２２ｂの外側に、円周方向に沿う弧形状のバネ状接片２２ｃが設けられており、このバネ状接片２２ｃは、ＬＥＤ駆動回路２２ａの負側電源線に接続されている。
【００１５】
一方、図３にも示されるように、実施例では、上記ホルダ２３を固定するための押え環２５を設けており、この押え環２５は、上記ホルダ２３の環状段差（部）２３Ｄに当接する大きさとされ、その外周に雄ネジ部２５Ｄが形成される。即ち、押え環２５の内周径をホルダ２３の後側円筒部の外周よりも少し大きくし、外周径をホルダ２３の前側円筒部の外周と略同じとする。そして、この押え環２５の外周には、上記前側支持体１６の内周に形成された雌ネジ部１６Ｃに螺合する雄ネジ部２５Ｄを形成する。実施例では、後側支持体１７を接続・固定するための前側支持体１６の雌ネジ部１６Ｃを少し長めに形成することで、押え環２５の螺合接続部としても利用できるようにし、構成の簡略化、光源ボックス１４の外径の縮小化を図っている。
【００１６】
上記のように、ホルダ２３の後側を小さい径とし、この部分に押え環２５を配置することで、前側支持体１６、即ち光源ボックス１４の外径が大きくならないようにすると共に、前側支持体１６に対する後側支持体１７の接続位置を従来よりも前側にシフトさせ、ボックスの長さ（突出量）の短縮化に貢献することができる。
【００１７】
更に、後側支持体１７の電池収納部１７ａ内には、電池１２の外側の位置に、スイッチ用の円筒導通体２８が上記バネ状接片２２ｃに接続する状態で固定・配置されており、この円筒導通体２８の後端には、スイッチオフ用の切り欠き２８ａが設けられ、この切り欠き２８ａが存在する部分の円筒外側面がスイッチオン用の摺動端子部となる。また、上記後側支持体１７の後側には、回転スイッチ部２９が回転可能に取り付けられており、この回転スイッチ部２９に、電池１２の負（−）電極が接触する電池接続用バネ状接片３０とスイッチ用可動接片３１が一体に形成された接片部３２がネジ３３で固定される。
【００１８】
実施例は以上の構成からなり、図２のＬＥＤ部２１は、図１に示されるように、ホルダ２３の前側円筒部内にネジ２４で固定され、光源駆動回路基板２２は、ホルダ２３の後側円筒部の後端に接着剤で固定されることになり、このＬＥＤ部２１と光源駆動回路基板２２は、単一のアッセンブリー５０として取り扱われる。
【００１９】
そして、図３にも示されるように、このアッセンブリー５０を前側支持体１６内に入れた後、押え環２５の雄ネジ部２５Ｄを雌ネジ部１６Ｃに螺合結合させ、この押え環２５をホルダ２３の段差２３Ｄに当接・押圧することで、アッセンブリー５０を固定し、前側支持体１６を組み立てることができる。このような押え環２５による固定によれば、固定用ネジを使用する場合と比較して、接続・固定に必要な領域が小さくなるので、光源ボックス１４自体の外径を小さくすることができる。
【００２０】
このような光源ボックス１４では、図４（Ａ）に示されるように、後側支持体１７内（電池収納部１７ａ）に電池１２を入れた後、雄ネジ部１７Ｄを雌ネジ部１６Ｃに螺合させることで、図４（Ｂ）のように、この後側支持体１７が前側支持体１６に取り付けられる。そして、図４（Ｂ）に示されるように、回転スイッチ部２９をオン（ＯＮ）方向へ回転させると、回転スイッチ部２９に固定された可動接片３１が円筒導通体２８の外周（摺動端子部）に接触することで、電源スイッチがオンし、ＬＥＤ部２１が点灯される。逆に、回転スイッチ部２９を反対のオフ（ＯＦＦ）方向へ回転させると、上記可動接片３１が円筒導通体２８の切り込み２８ａの位置に移動することで、電源スイッチがオフし、ＬＥＤ部２１が消灯される。
【００２１】
また、実施例では、前側支持体１６の雌ネジ部１６Ｃを、押え環２５と後側支持体１７の接続部として共通化するので、構成を簡略化することが可能になる。更に、ホルダ２３の小さい径とした後側部分に押え環２５を配置することで、前側支持体１６に対する後側支持体１７の接続位置を従来よりも前側にシフトさせ、光源ボックス１４の長さ（突出量）の短縮化に貢献できるという利点がある。
【００２２】
上記実施例では、ホルダ２３を押え環２５で固定するようにしたが、このホルダ２３を固定用ネジで固定することも可能である。
【図面の簡単な説明】
【００２３】
【図１】本発明の実施例に係る内視鏡用光源ボックスの構成を示す断面図である。
【図２】実施例の光源ボックス内に配置される光源アッセンブリーの各部材を示す分解斜視図である。
【図３】実施例の光源アッセンブリーを前側支持体に固定するための構成を示す分解斜視図である。
【図４】実施例の光源ボックスの分離（支持体分離）状態［図（Ａ）］と結合状態［図（Ｂ）］を示す斜視図である。
【図５】従来の内視鏡の全体構成を示す斜視図である。
【図６】従来の光源ボックスの構成を示す断面図である。
【符号の説明】
【００２４】
１Ｃ…内視鏡操作部、        ４，１４…光源ボックス、
５，１６…前側支持体、      ６，１７…後側支持体、
７，２１…ＬＥＤ部（板）、  ８，２２…光源駆動回路基板（部）、
８ａ，２２ａ…ＬＥＤ駆動回路、  １２…電池、
１６Ｃ…雌ネジ部、          １７Ｄ，２５Ｄ…雄ネジ部、
２３…アッセンブリーホルダ、  ２３Ｄ…環状段差、
２５…押え環、              ２９…回転スイッチ部。
【図１】
2010005220.tif 000003
【図２】
2010005220.tif 000004
【図３】
2010005220.tif 000005
【図４】
2010005220.tif 000006
【図５】
2010005220.tif 000007
【図６】
2010005220.tif 000008